(57)【特許請求の範囲】
【請求項１】
予め定められた互いに異なる複数の圧縮方式のうちのいずれか１の圧縮方式で記録媒体に記録された圧縮情報を伸張手段によって伸張して再生情報を出力する情報再生装置であって、
前記記録媒体に記録された圧縮情報を読み取る読取手段と、
前記読取手段によって読み取られた圧縮情報をメモリに書き込み、前記メモリに書き込んだ圧縮情報を書込順に読み出して前記伸張手段に供給するメモリ制御手段と、
前記読取手段によって読み取られた圧縮情報の圧縮方式の種類を判別する判別手段と、を含み、
前記メモリ制御手段は、前記メモリにおける前記圧縮情報の蓄積量が第１閾値に達したとき前記メモリからの前記圧縮情報の読み出しを開始し、前記蓄積量が前記第１閾値より大なる第２閾値に達したとき前記読み取られた圧縮情報の前記メモリへの書き込みを停止し、その停止後、前記蓄積量が前記第１閾値と前記第２閾値との間の値である第３閾値に達したとき前記メモリへの書き込みを再開し、前記判別手段の判別結果が高圧縮率の圧縮方式であるほど前記第１閾値及び前記第３閾値を低く設定することを特徴とする情報再生装置。
【請求項２】
前記第１閾値に等しい前記蓄積量の圧縮情報の伸長後の再生情報の出力時間が、前記複数の圧縮方式のいずれの圧縮方式で記録された圧縮情報に対してほぼ一致するように、前記複数の圧縮方式各々について前記第１閾値は設定されることを特徴とする請求項１記載の情報再生装置。
【発明の詳細な説明】
【０００１】
【発明が属する技術分野】
本発明は、記録媒体に記録された圧縮情報を伸張して再生情報として出力する情報再生装置に関する。
【０００２】
【従来の技術】
情報再生装置の１つであるミニディスクプレーヤにおいては、携帯或いは車載されることを考慮して良好な耐震性能を確保するためにＤＲＡＭ（ダイナミックランダムアクセスメモリ）が内蔵されている。ＤＲＡＭにはミニディスクからピックアップによって読み取られた圧縮情報が一旦蓄積され、その蓄積された圧縮情報が読み出されてデコーダによって伸張されて再生情報となって出力される。これにより、振動によって読み取りエラーが生じてもＤＲＡＭに蓄積された圧縮情報が伸張再生され、その間に読み取りエラー分の再読み取りが行われるので、いわゆる音切れを防止することができる。
【０００３】
また、ミニディスクの再生中にはＤＲＡＭに許容蓄積量の圧縮情報が蓄積されると、ピックアップによる読み取り動作を停止し、ＤＲＡＭの圧縮情報の蓄積量が再蓄積開始量まで減少すると、ピックアップによる読み取りを再開してＤＲＡＭに読取圧縮情報の蓄積が行われる。
【０００４】
【発明が解決しようとする課題】
しかしながら、ミニディスクの再生を開始する際には、再生開始の指令が発生されてもＤＲＡＭに予め定められた再生開始蓄積量の圧縮情報が蓄積された後でなければ、再生情報が実際にミニディスクプレーヤから出力されない。ミニディスクの再生開始の指令後、早急に再生情報を出力させるためにはＤＲＡＭの再生開始蓄積量を減らすことが考えられるが、耐震性能を損なう恐れがある。
【０００５】
この問題は、ミニディスクプレーヤに限らず、記録媒体に記録された圧縮情報を再生する際にメモリに一旦書き込んで、それを読み出して伸張して再生情報として出力する情報再生装置においても同様である。
そこで、本発明の目的は、耐震性能を損なうことなく記録媒体の再生動作開始後、再生情報を比較的早急に出力することができる情報再生装置を提供することである。
【０００６】
【課題を解決するための手段】
本発明の情報再生装置は、予め定められた互いに異なる複数の圧縮方式のうちのいずれか１の圧縮方式で記録媒体に記録された圧縮情報を伸張手段によって伸張して再生情報を出力する情報再生装置であって、記録媒体に記録された圧縮情報を読み取る読取手段と、読取手段によって読み取られた圧縮情報をメモリに書き込み、メモリ書き込んだ圧縮情報を書込順に読み出して伸張手段に供給するメモリ制御手段と、読取手段によって読み取られた圧縮情報の圧縮方式の種類を判別する判別手段と、を含み、メモリ制御手段は、メモリにおける圧縮情報の蓄積量が第１閾値に達したときメモリからの圧縮情報の読み出しを開始し、その蓄積量が第１閾値より大なる第２閾値に達したとき読み取られた圧縮情報のメモリへの書き込みを停止し、その停止後、蓄積量が第１閾値と第２閾値との間の値である第３閾値に達したときメモリへの書き込みを再開し、判別手段の判別結果が高圧縮率の圧縮方式であるほど第１閾値及び第３閾値を低く設定することを特徴としている。
【０００８】
【発明の実施の形態】
以下、本発明の実施例を図面を参照しつつ詳細に説明する。
図１に示した本発明の一実施例である情報再生装置としてのミニディスク（いわゆるＭＤ）プレーヤにおいては、ミニディスク１が、スピンドルモータ２によって回転駆動される。ディスク１の回転に伴ってディスク１に記録されている信号はピックアップ３によって光学的に読み取られる。ピックアップ３は、キャリッジモータ４によってディスク１の半径方向に移動するキャリッジ（図示せず）に担持され、ピックアップ３の情報読取点（情報読取用光スポット）がディスク１の半径方向において移動自在に位置決めされる。また、スピンドルサーボ系，フォーカスサーボ系，トラッキングサーボ系，キャリッジサーボ系等の各サーボ系が設けられている。
【０００９】
スピンドルモータ２，キャリッジモータ４は、スピンドルサーボ系，キャリッジサーボ系内に位置するサーボ制御回路５によって駆動される。サーボ制御回路５は、プレーヤコントローラ１６からの指令に応じてスピンドルモータ２及びキャリッジモータ４の駆動、上記図示せぬ各サーボ系のオンオフ制御，ジャンプ制御等を行なう構成となっている。
【００１０】
ピックアップ３から出力される読取信号であるＲＦ信号は、ＲＦアンプ８によって増幅された後、ＥＦＭデコーダ９に供給される。ＥＦＭデコーダ９は読取信号のデータをＣＩＲＣ方式で誤り訂正すると共にＥＦＭ復調する。ＥＦＭデコーダ９の出力には、ＤＲＡＭであるメモリ１１の書込及び読出を制御するメモリコントローラ１０が接続されている。メモリコントローラ１０はミニディスク１の再生時にメモリ１１へ読取データの書込及び読出を制御する。読み出されたデータはメモリ１１から消去される。メモリコントローラ１０には切替スイッチ１２を介して２つの音声圧縮デコーダ１３，１４が接続されている。メモリコントローラ１０から読み出されたデータは切替スイッチ１２によって音声圧縮デコーダ１３，１４のいずれか一方に供給される。音声圧縮デコーダ１３はＡＴＲＡＣ(Adaptive TRansform Acoustic Coding)方式の音声圧縮技術により圧縮記録されたディジタルオーディオ信号を復調する。音声圧縮デコーダ１４はＡＴＲＡＣ方式より高圧縮のＡＴＲＡＣ３方式の音声圧縮技術により圧縮記録されたディジタルオーディオ信号を復調する。ＡＴＲＡＣ３方式の音声圧縮には２倍圧縮と４倍圧縮とがあり、音声圧縮デコーダ１４は双方の圧縮率に対応しており、プレーヤコントローラ１６からの指令に応じて圧縮率を変化させる。音声圧縮デコーダ１３又は１４により得られたディジタルオーディオ信号はＤ／Ａ（ディジタル／アナログ）変換器１５によってアナログオーディオ信号に変換されて出力される。
【００１１】
ＥＦＭデコーダ９、メモリコントローラ１０、切替スイッチ１２及び音声圧縮デコーダ１４はプレーヤコントローラ１６によって制御される。プレーヤコントローラ１６は更に、操作部１７からの動作指令に応じてもミニディスクプレーヤの制御動作を行なう。プレーヤコントローラ１６は例えば、マイクロコンピュータからなる。
【００１２】
かかる構成のミニディスクプレーヤにおいて、プレーヤコントローラ１６は操作部１７におけるユーザの操作によって操作部１７からの再生指令（プレイ指令）が生成されると、再生動作を開始する。
再生動作ではプレーヤコントローラ１６は、図２に示すように先ず、ピックアップ３の情報読取点をミニディスク１のＴＯＣ領域に移動させてＴＯＣ領域からＴＯＣ情報を読み取り（ステップＳ１）、再生曲のＴＲＫ＿ＭＯＤＥを判別する（ステップＳ２）。ＴＯＣ情報にはＴＲＫ＿ＭＯＤＥという項目があり、その項目にはミニディスクの各トラックの情報が記述されている。ＡＴＲＡＣ方式で記録された情報の場合にはＴＲＫ＿ＭＯＤＥは記録音声のステレオとモノラルとの区別を示している。ＡＴＲＡＣ３方式で記録された情報の場合にはＴＲＫ＿ＭＯＤＥは記録情報の圧縮率が２倍圧縮と４倍圧縮との区別を示している。よって、ＴＲＫ＿ＭＯＤＥの内容から、ＡＴＲＡＣ方式で記録された情報とＡＴＲＡＣ３方式で記録された情報とを判別することができ、更に、ＡＴＲＡＣ３方式で記録された情報の場合にはその圧縮率が２倍圧縮と４倍圧縮とのいずれであるかを判別することができる。
【００１３】
ステップＳ２の判別結果がＡＴＲＡＣ方式の記録情報である場合には、メモリ１１の再生信号出力開始の蓄積データ量ＴＨ１をＤＳ１に設定する（ステップＳ３）。ステップＳ２の判別結果がＡＴＲＡＣ３方式の２倍圧縮の記録情報である場合には、メモリ１１の再生信号出力開始の蓄積データ量ＴＨ１をＤＳ２に設定する（ステップＳ４）。ステップＳ２の判別結果がＡＴＲＡＣ３方式の４倍圧縮の記録情報である場合には、メモリ１１の再生信号出力開始の蓄積データ量ＴＨ１をＤＳ３に設定する（ステップＳ５）。蓄積データ量ＤＳ１，ＤＳ２，ＤＳ３はＤＳ１＞ＤＳ２＞ＤＳ３であるが、ＡＴＲＡＣ方式でＤＳ１分の圧縮オーディオ信号をデコードした場合の時間的長さと、２倍圧縮のＡＴＲＡＣ３方式でＤＳ２分の圧縮オーディオ信号をデコードした場合の時間的長さと、４倍圧縮のＡＴＲＡＣ３方式でＤＳ３分の圧縮オーディオ信号をデコードした場合の時間的長さとはほぼ同一である。
【００１４】
このようにメモリ１１の再生信号出力開始の蓄積データ量ＴＨ１の設定後、再生曲についてのデータのミニディスク１からの読み取りを行って読み取ったデータのメモリ１１への蓄積開始をメモリコントローラ１０に指令する（ステップＳ６）。再生曲のデータがピックアップ３からＲＦ信号として読み取られ、ＲＦ信号はＲＦアンプ８で増幅された後、ＥＦＭデコーダ９に供給される。ＥＦＭデコーダ９でＥＦＭ復調された信号はオーディオ情報等を含むディジタルデータであり、サブコード等の制御情報はプレーヤコントローラ１６に供給される。プレーヤコントローラ１６は制御情報に応じてサーボ制御回路５を制御する。ＥＦＭデコーダ９から出力されるオーディオ情報である圧縮オーディオ信号はメモリコントローラ１０によってメモリ１１に書き込まれる。
【００１５】
プレーヤコントローラ１６は、ステップＳ６の実行後、メモリ１１の実蓄積データ量ＲＳＤが再生信号出力開始の蓄積データ量ＴＨ１に達したか否かを判別する（ステップＳ７）。メモリ１１の実蓄積データ量ＲＳＤはメモリコントローラ１０において計数されることによって検出される。すなわち、メモリ１１へのデータの書き込みによってアップ計数され、メモリ１１からのデータの読み出しによってダウン計数される。検出された実蓄積データ量ＲＳＤはメモリコントローラ１０からプレーヤコントローラ１６に供給される。プレーヤコントローラ１６は、実蓄積データ量ＲＳＤが増加して蓄積データ量ＴＨ１に達した場合には再生信号出力の開始を指令する（ステップＳ８）。この指令はメモリコントローラ１０及び切替スイッチ１２に供給される。また、この指令はステップＳ２の判別結果に基づいて生成され、切替スイッチ１２による切替を制御する。更に、ステップＳ２の判別結果がＡＴＲＡＣ３方式の記録情報である場合には、プレーヤコントローラ１６はＡＴＲＡＣ３音声圧縮デコーダ１４の伸張倍率を制御する。
【００１６】
よって、ＡＴＲＡＣ方式の記録情報である場合には、メモリ１１から読み出された圧縮オーディオ信号はメモリコントローラ１０から切替スイッチ１２を介してＡＴＲＡＣ音声圧縮デコーダ１３に供給され、音声圧縮デコーダ１３はＡＴＲＡＣ方式で圧縮記録されたディジタルオーディオ信号を復調し、その復調ディジタルオーディオ信号はＤ／Ａ変換器１５によって再生アナログオーディオ信号に変換される。
【００１７】
ＡＴＲＡＣ３方式の２倍又は４倍圧縮の記録情報である場合には、メモリ１１から読み出された圧縮オーディオ信号はメモリコントローラ１０から切替スイッチ１２を介してＡＴＲＡＣ３音声圧縮デコーダ１４に供給され、音声圧縮デコーダ１４はＡＴＲＡＣ３方式で２倍又は４倍圧縮記録されたディジタルオーディオ信号を復調し、その復調ディジタルオーディオ信号はＤ／Ａ変換器１５によって再生アナログオーディオ信号に変換される。
【００１８】
プレーヤコントローラ１６は、再生信号の出力を開始した後、メモリ１１の実蓄積データ量ＲＳＤがフル蓄積データ量ＴＨfullに達したか否かを判別する（ステップＳ９）。フル蓄積データ量ＴＨfullはメモリ１１に許容可能な蓄積データ量である。実蓄積データ量ＲＳＤがフル蓄積データ量ＴＨfullに達したならば、プレーヤコントローラ１６は、メモリコントローラ１０に対してデータの書き込みの停止を指令し（ステップＳ１０）、サーボ制御回路５に対してポーズ状態及びサーボ系のオフを指令する（ステップＳ１１）。これにより、メモリ１１へのデータの書き込みが停止され、また、サーボ制御回路５によってピックアップ３の駆動が停止され、フォーカスサーボ系，トラッキングサーボ系及びキャリッジサーボ系の動作が停止される。
【００１９】
プレーヤコントローラ１６は、ステップＳ１１の実行後、メモリ１１にデータが蓄積された曲のＴＲＫ＿ＭＯＤＥを判別する（ステップＳ１２）。これはステップＳ２の判別と同様である。
ステップＳ１２の判別結果がＡＴＲＡＣ方式の記録情報である場合には、メモリ１１の再蓄積開始の蓄積データ量ＴＨ２をＤＲ１に設定する（ステップＳ１３）。ステップＳ１２の判別結果がＡＴＲＡＣ３方式の２倍圧縮の記録情報である場合には、メモリ１１の再蓄積開始の蓄積データ量ＴＨ２をＤＲ２に設定する（ステップＳ１４）。ステップＳ１２の判別結果がＡＴＲＡＣ３方式の４倍圧縮の記録情報である場合には、メモリ１１の再蓄積開始の蓄積データ量ＴＨ２をＤＲ３に設定する（ステップＳ１５）。
【００２０】
このようにメモリ１１の再蓄積開始の蓄積データ量ＴＨ２の設定後、メモリ１１の実蓄積データ量ＲＳＤが再蓄積開始の蓄積データ量ＴＨ２に達したか否かを判別する（ステップＳ１６）。実蓄積データ量ＲＳＤが減少して再蓄積開始の蓄積データ量ＴＨ２に達した場合には、プレーヤコントローラ１６は、サーボ制御回路５に対してポーズ解除及びサーボ系のオンを指令し（ステップＳ１７）、メモリコントローラ１０に対してデータの書き込み再開を指令する（ステップＳ１８）。これにより、サーボ制御回路５によってピックアップ３の駆動が再開され、フォーカスサーボ系，トラッキングサーボ系及びキャリッジサーボ系の動作が再開される。よって、ステップＳ６の場合と同様に、再生曲のデータがピックアップ３からＲＦ信号として読み取られ、ＲＦ信号はＲＦアンプ８、ＥＦＭデコーダ９を介して圧縮オーディオ信号としてメモリコントローラ１０に供給され、圧縮オーディオ信号のメモリコントローラ１０によるメモリ１１への書き込みが再び行われる。
【００２１】
ステップＳ１８の実行後は、ステップＳ９に戻り、上記した動作が繰り返される。
図３(a)〜(c)はかかるミニディスクプレーヤにおけるミニディスク１の再生の際の実蓄積データ量ＲＳＤの変化を各々示している。図３(a)は再生曲の圧縮オーディオ信号がＡＴＲＡＣ方式の記録情報である場合、図３(b)は再生曲の圧縮オーディオ信号がＡＴＲＡＣ３方式の２倍圧縮の記録情報である場合、図３(c)は再生曲の圧縮オーディオ信号がＡＴＲＡＣ３方式の４倍圧縮の記録情報である場合である。
【００２２】
図３(a)〜(c)各々に示すように、操作部１７から再生指令が発生すると、再生曲についてのデータのミニディスク１からの読み取りが行われ、読み取ったデータがメモリ１１に蓄積される。再生指令発生後、メモリ１１の実蓄積データ量ＲＳＤは徐々に増加する。メモリ１１の実蓄積データ量ＲＳＤが再生信号出力開始の蓄積データ量ＴＨ１に達すると、ステップＳ８の動作によってメモリ１１から圧縮オーディオ信号が読み出され、音声圧縮デコーダ１３又は１４及びＤ／Ａ変換器１５を経て再生アナログオーディオ信号が出力される。再生信号出力開始の蓄積データ量ＴＨ１はＤＳ１〜ＤＳ３のいずれか１に設定されており、ＤＳ１＞ＤＳ２＞ＤＳ３である。再生曲の圧縮オーディオ信号がＡＴＲＡＣ方式の記録情報である場合には、図３(a)に示すようにメモリ１１の実蓄積データ量ＲＳＤがＤＳ１〜ＤＳ３のうちの最大値であるＤＳ１まで達し、再生曲の圧縮オーディオ信号がＡＴＲＡＣ３方式の２倍圧縮の記録情報である場合には、図３(b)に示すようにメモリ１１の実蓄積データ量ＲＳＤがＤＳ１〜ＤＳ３のうちの中間値であるＤＳ２まで達し、再生曲の圧縮オーディオ信号がＡＴＲＡＣ３方式の４倍圧縮の記録情報である場合には、図３(c)に示すようにメモリ１１の実蓄積データ量ＲＳＤがＤＳ１〜ＤＳ３のうちの最小値であるＤＳ３まで達する。よって、ＡＴＲＡＣ３方式の４倍圧縮の記録情報、ＡＴＲＡＣ３方式の２倍圧縮の記録情報、そして、ＡＴＲＡＣ方式の記録情報の順に早く再生アナログオーディオ信号が出力される。
【００２３】
その後、メモリ１１の実蓄積データ量ＲＳＤが更に増加してフル蓄積データ量ＴＨfullに達すると、メモリ１１への書き込みが停止され、ミニディスク１からの読み取り動作はポーズ状態となる。よって、フル蓄積データ量ＴＨfull到達後、実蓄積データ量ＲＳＤは徐々に減少する。
メモリ１１の実蓄積データ量ＲＳＤが減少して再蓄積開始の蓄積データ量ＴＨ２に達すると、ポーズ状態が解除され、再生曲についてのデータのミニディスク１からの読み取りが再開され、読み取ったデータがメモリ１１に蓄積される。再蓄積開始の蓄積データ量ＴＨ２はＤＲ１〜ＤＲ３のいずれか１に設定されており、ＤＲ１＞ＤＲ２＞ＤＲ３である。再生曲の圧縮オーディオ信号がＡＴＲＡＣ方式の記録情報である場合には、図３(a)に示すようにメモリ１１の実蓄積データ量ＲＳＤがＤＲ１〜ＤＲ３のうちの最大値であるＤＲ１まで達し、再生曲の圧縮オーディオ信号がＡＴＲＡＣ３方式の２倍圧縮の記録情報である場合には、図３(b)に示すようにメモリ１１の実蓄積データ量ＲＳＤがＤＲ１〜ＤＲ３のうちの中間値であるＤＲ２まで達し、再生曲の圧縮オーディオ信号がＡＴＲＡＣ３方式の４倍圧縮の記録情報である場合には、図３(c)に示すようにメモリ１１の実蓄積データ量ＲＳＤがＤＲ１〜ＤＳＲのうちの最小値であるＤＲ３まで達する。よって、ＡＴＲＡＣ方式の記録情報、ＡＴＲＡＣ３方式の２倍圧縮の記録情報、そして、ＡＴＲＡＣ３方式の４倍圧縮の記録情報の順に早くメモリ１１への読み取りデータの蓄積が再開される。換言すれば、メモリ１１へのデータ蓄積停止期間はＡＴＲＡＣ３方式の４倍圧縮の記録情報、ＡＴＲＡＣ３方式の２倍圧縮の記録情報、そして、ＡＴＲＡＣ方式の記録情報の順に長くなる。
【００２４】
その後のミニディスク１の再生中にはメモリ１１へのデータ蓄積と蓄積停止とが上記した如く繰り返される。
このように、高圧縮率の圧縮方式で記録された圧縮情報であるほど、ピックアップ３の読取動作を長く停止させることができるので、省電力化が可能となる。また、ピックアップ３の読取動作の停止期間、すなわちメモリ１１への蓄積停止期間にピックアップ３をミニディスク１上の他の記録情報の読み取りに用いることもできる。
【００２５】
なお、上記した実施例においては、記録媒体としてミニディスクを示したが、これに限らず、情報が圧縮記録される記録媒体を再生する再生装置に適用することができる。
また、上記した実施例においては、１枚のミニディスクに記録された全曲の圧縮情報が同一の圧縮方式で記録されているとしているが、１枚のミニディスクに複数の曲の圧縮情報が全て同一の圧縮方式で記録されていないで、複数の圧縮方式が用いられている場合にも本発明を適用することができる。例えば、１曲目がＡＴＲＡＣ方式の記録情報、２曲目がＡＴＲＡＣ３方式の４倍圧縮の記録情報、３曲目がＡＴＲＡＣ方式の記録情報の場合には、１曲目にはＴＨ１＝ＤＳ１，ＴＨ２＝ＤＲ１、２曲目にはＴＨ１＝ＤＳ３，ＴＨ２＝ＤＲ３、３曲目にはＴＨ１＝ＤＳ１，ＴＨ２＝ＤＲ１と設定される。この設定では曲単位の圧縮方法に追従してＴＨ１とＴＨ２とが設定されるが、前後の曲の圧縮方法を考慮してＴＨ１とＴＨ２とを設定することもできる。すなわち、上記の例で１曲目及び３曲目に比べて２曲目の時間が短いような場合には１曲目及び３曲目だけでなく２曲目でもＴＨ１＝ＤＳ１，ＴＨ２＝ＤＲ１と設定しても良い。
【００２６】
【発明の効果】
以上の如く、本発明による情報再生装置によれば、耐震性能を損なうことなく記録媒体の再生動作開始後、再生情報を比較的早急に出力することができる。
【図面の簡単な説明】
【図１】本発明の実施例を示すブロック図である。
【図２】プレーヤコントローラの動作を示すフローチャートである。
【図３】ミニディスクの再生の際の実蓄積データ量ＲＳＤの変化を示す図である。
【符号の説明】
１  ミニディスク
２  スピンドルモータ
３  ピックアップ
４  キャリッジモータ
１０  メモリコントローラ
１１  メモリ
１３，１４  音声圧縮デコーダ
１６  プレーヤコントローラ
【図１】
0003992419.tif 000002
【図２】
0003992419.tif 000003
【図３】
0003992419.tif 000004